(57)【特許請求の範囲】
【請求項１】
デジタルカメラであって、
被写体画像を取得する被写体画像取得部と、
前記デジタルカメラの位置と、前記デジタルカメラの方向と、現在時刻とのうち、少なくとも１つを含む撮影状況情報を取得する撮影状況情報取得部と、
前記被写体画像を解析することにより、被写体画像に含まれる被写体に関する被写体情報を取得する被写体情報取得部と、
前記被写体の撮影に適した撮影モードを設定するための撮影シーンを決定する撮影シーン決定部と、
を備え、
前記撮影シーン決定部は、
前記被写体情報取得部により取得された前記被写体情報と、前記撮影状況情報取得部により取得された前記撮影状況情報と、に基づいて前記デジタルカメラで設定可能な複数の撮影シーンの中からシーン候補を選定するシーン候補選定部と、
前記シーン候補選定部により選定されたシーン候補を前記デジタルカメラの表示部に表示するシーン候補表示部と、
前記デジタルカメラのユーザからの指示に従って、前記シーン候補から撮影に使用する撮影シーンを選択する撮影シーン選択部と、
を有し、
前記撮影シーン決定部は、さらに、前記シーン候補選定部が選定したシーン候補に含まれる撮影シーンに予め関連づけられた関連シーンを選定する関連シーン選定部を有しており、
前記シーン候補表示部は、前記シーン候補と前記関連シーンとの両方を前記表示部に表示する、デジタルカメラ。
【請求項２】
請求項１記載のデジタルカメラであって、
前記シーン候補選定部は、前記位置と前記方向と前記現在時刻との全てを使用してシーン候補を選定する、デジタルカメラ。
【請求項３】
請求項１または請求項２に記載のデジタルカメラであって、
前記シーン候補表示部は、前記シーン候補選定部が複数のシーン候補を選定した場合に、前記複数のシーン候補を第１の方向に配列するとともに、各シーン候補についての関連シーンを前記第１の方向とは異なる第２の方向に配列する、デジタルカメラ。
【請求項４】
被写体の撮影に適した撮影モードをデジタルカメラに設定するための撮影シーンを決定する撮影シーン決定方法であって、
（ａ）前記被写体を含む被写体画像を取得する工程と、
（ｂ）前記デジタルカメラの位置と、前記デジタルカメラの方向と、現在時刻とのうち、少なくとも１つを含む撮影状況情報を取得する工程と、
（ｃ）前記被写体画像を解析することにより、前記被写体に関する被写体情報を取得する工程と、
（ｄ）前記工程（ｃ）において取得された前記被写体情報と、前記工程（ｂ）において取得された撮影状況情報と、に基づいて前記デジタルカメラで設定可能な複数の撮影シーンの中からシーン候補を選定する工程と、
（ｅ）前記工程（ｄ）において選定されたシーン候補を前記デジタルカメラの表示部に表示する工程と、
（ｆ）前記デジタルカメラのユーザからの指示に従って、前記シーン候補から撮影に使用する撮影シーンを選択する工程と、
（ｇ）前記工程（ｄ）において選定されたシーン候補に含まれる撮影シーンに予め関連づけられた関連シーンを選定する工程と
を備え、
前記（ｅ）工程は、前記シーン候補と前記関連シーンとの両方を前記表示部に表示する、撮影シーン決定方法。
【発明の詳細な説明】
【技術分野】
【０００１】
この発明は、被写体の撮影に適した撮影シーンを決定する技術に関する。
【背景技術】
【０００２】
近年、撮像素子を用いて被写体を撮影することによりデジタルデータとしての画像データを生成するデジタルスチルカメラ（以下「ＤＳＣ」とも呼ぶ）が広く普及している。このようなＤＳＣを用いた撮影の際、被写体の撮影に適した画像の撮影シーン（例えば人物を撮影するシーンや夜景を撮影するシーン）が設定されている場合には、撮影シーンに応じて設定される撮影条件に従って被写体の画像が取得され、撮影シーンに応じて設定される画像処理条件に従って取得された画像に画像処理が施される。設定された撮影シーンが被写体の撮影に適している場合、これらの撮影条件や画像処理条件（撮影モード）は、被写体に適したものとなるので、好ましい被写体の画像を得ることが可能となる。
【０００３】
【特許文献１】特開２００２−９４８３８
【発明の開示】
【発明が解決しようとする課題】
【０００４】
しかしながら、一般に、このような撮影シーンの設定操作は煩雑であるため、被写体に適した撮影シーンが設定可能であるにもかかわらず、撮影シーンの設定を行うことなく撮影が行われることが多い。また、ユーザにとって、撮影シーンの選択は必ずしも容易とは言えず、適切な撮影シーンが設定されない場合もある。
【０００５】
本発明は、上述した従来の課題を解決するためになされたものであり、ユーザによる被写体の撮影に適した撮影シーンの設定をより容易にする技術を提供することを目的とする。
【課題を解決するための手段】
【０００６】
上記目的の少なくとも一部を達成するために、本発明のデジタルカメラは、被写体画像を取得する被写体画像取得部と、前記デジタルカメラの位置と、前記デジタルカメラの方向と、現在時刻とのうち、少なくとも１つを含む撮影状況情報を取得する撮影状況情報取得部と、前記被写体画像を解析することにより、被写体画像に含まれる被写体に関する被写体情報を取得する被写体情報取得部と、前記被写体の撮影に適した撮影モードを設定するための撮影シーンを決定する撮影シーン決定部と、を備え、前記撮影シーン決定部は、前記被写体情報取得部により取得された前記被写体情報と、前記撮影状況情報取得部により取得された前記撮影状況情報と、に基づいて前記デジタルカメラで設定可能な複数の撮影シーンの中からシーン候補を選定するシーン候補選定部と、前記シーン候補選定部により選定されたシーン候補を前記デジタルカメラの表示部に表示するシーン候補表示部と、前記デジタルカメラのユーザからの指示に従って、前記シーン候補から撮影に使用する撮影シーンを選択する撮影シーン選択部と、を有し、前記撮影シーン決定部は、さらに、前記シーン候補選定部が選定したシーン候補に含まれる撮影シーンに予め関連づけられた関連シーンを選定する関連シーン選定部を有しており、前記シーン候補表示部は、前記シーン候補と前記関連シーンとの両方を前記表示部に表示することを特徴とする。
【０００７】
この構成によれば、被写体情報取得部により取得された被写体情報と、撮影状況情報取得部により取得された撮影状況情報と、に基づいて被写体の撮影に適した撮影シーンがシーン候補として選定され、デジタルカメラの表示部に表示される。ユーザは、表示されたシーン候補から撮影に使用する撮影シーンを選択することにより、より容易に、被写体の撮影に適した撮影シーンを設定することが可能になる。また、この構成によれば、関連シーンを表示することにより、シーン候補では選定されなかったシーンを撮影シーンとして選択することが可能となる。そのため、ユーザは、より被写体の撮影に適したシーンを撮影シーンとして設定することが可能となる。
【０００８】
前記シーン候補選定部は、前記位置と前記方向と前記現在時刻との全てを使用してシーン候補を選定するものとしても良い。
【０００９】
この構成によれば、シーン候補の選定は、被写体を撮影する際の影響が大きいデジタルカメラの位置とデジタルカメラの方向と現在時刻との全てに基づいて選定されるので、シーン候補の選定をより正確に行うことができる。
【００１２】
前記シーン候補表示部は、前記シーン候補選定部が複数のシーン候補を選定した場合に、前記複数のシーン候補を第１の方向に配列するとともに、各シーン候補についての関連シーンを前記第１の方向とは異なる第２の方向に配列する、ものとしても良い。
【００１３】
この構成によれば、前記シーン候補選定部が選定した複数のシーン候補と、各シーン候補に関連付けられた関連シーンとが、平面上にマッピングして表示される。そのため、ユーザは、シーン候補と関連シーンとの関係を容易に把握することができ、撮影シーンをより容易に選択することができる。
【００１４】
なお、本発明は、種々の態様で実現することが可能である。例えば、デジタルカメラとデジタルカメラ制御方法、それらのデジタルカメラまたはデジタルカメラ制御方法の機能を実現するためのコンピュータプログラム、そのコンピュータプログラムを記録した記録媒体、そのコンピュータプログラムを含み搬送波内に具現化されたデータ信号、等の態様で実現することができる。
【発明を実施するための最良の形態】
【００１５】
次に、本発明の実施の形態を実施例に基づいて以下の順序で説明する。
Ａ．実施例：
Ｂ．変形例：
【００１６】
Ａ．実施例：
図１、本発明の一実施例としてのデジタルスチルカメラ１００（以下「ＤＳＣ１００」とも呼ぶ）の概略構成を示す説明図である。このＤＳＣ１００は、レンズ１１０と、レンズ駆動部１２０と、撮像部１３０と、露出決定部１４０と、ＧＰＳ受信部１５０と、カメラ方向取得部１６０と、時刻取得部１７０と、表示部１８０と、操作部１９０と、撮影シーン決定部２００と、を有している。
【００１７】
撮像部１３０は、撮像部１３０が有するＣＣＤ（Charge Coupled Device：電荷結合素子）等の撮像素子（図示しない）の受光面上に、レンズ１１０により結像された画像の明暗を表す画像データを生成する。ユーザがＤＳＣ１００のシャッタボタン（図示しない）を操作すると、撮像部１３０により生成された画像データは画像処理部１３２に供給され、画像処理部１３２により適宜画像処理を施される。画像処理後の画像データは、画像データ格納部（図示しない）に格納される。画像処理部１３２による画像処理は、撮影シーン決定部２００から供給される撮影シーン情報（後述する）に基づいて、シーン別設定データベース（ＤＢ）１４２から取得される画像処理条件設定値に従って行われる。
【００１８】
露出決定部１４０は、撮影シーン決定部２００から供給される撮影シーン情報とに基づいて、シーン別設定データベース１４２を参照する。そして、シーン別設定データベース１４２から供給される撮影条件設定値と、撮像部１３０から供給される受光面上の光量の情報とに従って、レンズ１１０の絞り値等を決定する。レンズ駆動部１２０は、露出決定部１４０により決定された絞り値等に従って、レンズ１１０を制御し、撮影時の撮像部１３０の受光面上の光量を調整する。また、レンズ駆動部１２０は、ユーザからの指示に応じてレンズ１１０を駆動して、レンズ１１０の焦点距離を調整する機能も有している。
【００１９】
図２は、シーン別設定データベース１４２に格納されている情報の一例を示す説明図である。シーン別設定データベース１４２には、複数の撮影シーンのそれぞれに対応付けられて、撮影条件の設定値と画像処理条件の設定値とが格納されている。図２の例では、撮影条件設定値としては、シャッタ速度の設定方法（シャッタ速度）、絞り値の設定方法（絞り）、露出補正係数（露出補正）等が格納されている。また、画像処理条件設定値としては、ホワイトバランス調整パラメータ（ホワイトバランス）、記憶色変換処理パラメータ（記憶色）、シャープネス調整パラメータ（シャープネス）等が格納されている。
【００２０】
図２に示すように、「ポートレート」、「風景」、「夕日」等の各撮影シーンに対応して、撮影条件と画像処理条件（これらの条件は、併せて「撮影モード」とも呼ばれる）が設定される。そのため、撮影の対象となる被写体に適した撮影シーンを選択することにより、被写体のより好ましい画像を取得することが可能となる。なお、本明細書において、「被写体」とは、画像の全体にわたって撮影される人、物、景色といった撮影対象を意味している。
【００２１】
図１の表示部１８０は、液晶表示器等により構成され、画像や各種設定情報を表示する機能を有している。操作部１９０は、ボタンやタッチパネル等を有しており、ユーザからの指示を取得する機能を有している。ユーザは、表示部１８０に表示される画像や設定情報を見ながら、操作部１９０を操作することにより、ＤＳＣ１００の設定変更等の操作を行うことができる。また、ＤＳＣ１００による撮影時には、表示部１８０に被写体の画像が表示される。
【００２２】
ＧＰＳ受信部１５０は、ＧＰＳ（Global Positioning System）衛星からの電波を受信し、ＤＳＣ１００の位置（緯度、経度、標高）を取得する。カメラ方向取得部１６０は、ジャイロあるいは加速度センサ等によりＤＳＣ１００のレンズ１１０が向いている方向（以下、「カメラ方向」とも呼ぶ）を取得する。また、時刻取得部１７０は、ＤＳＣ１００に内蔵されたリアルタイムクロック（ＲＴＣ）から、現在時刻を取得する。但し、ＧＰＳ受信部１５０により現在時刻を取得する場合には、時刻取得部１７０を省略することも可能である。なお、本明細書においては、ＤＳＣ１００の位置とカメラ方向とを併せて、ＤＳＣ１００の「配位」とも呼ぶ。
【００２３】
撮影シーン決定部２００は、画像解析部２１０と、配位・時刻取得部２２０と、シーン候補選定部２３０と、関連シーン選定部２４０と、選択指示取得部２５０と、を備えている。
【００２４】
画像解析部２１０は、撮像部１３０から供給される被写体の画像データを解析することにより、被写体に関する情報を取得する。配位・時刻取得部２２０は、ＧＰＳ受信部１５０およびカメラ方向取得部１６０から供給されるＤＳＣ１００の配位と、時刻取得部１７０から供給される現在時刻とを取得する。なお、画像解析部２１０は、被写体に関する情報を取得するので、「被写体情報取得部」であるともいうことができる。また、配位・時刻取得部２２０は、撮影状況に関する情報を取得するので、「撮影状況情報取得部」であるともいうことができる。
【００２５】
シーン候補選定部２３０は、被写体に関する情報と、ＤＳＣ１００の配位と、現在時刻とに基づいて、シーン評価データベース（ＤＢ）２３２を参照することにより、被写体の撮影に適したシーンの候補を選定する。関連シーン選定部２４０は、関連シーンデータベース（ＤＢ）２４２を参照することにより、シーン候補のうちからユーザにより選択されたシーンに関連した関連シーンを選定する。なお、シーン候補の選定や関連シーンの選定に関しては、後述する。
【００２６】
選択指示取得部２５０は、操作部１９０を介して与えられるユーザの指示を取得する。選択指示取得部２５０は、シーン候補や関連シーンからのシーンの選択や、選択されたシーンを撮影に使用するか否かのユーザの指示を取得する。ユーザが選択したシーンを撮影に使用する指示をＤＳＣ１００に与えた場合、選択されたシーンを指定する情報が撮影シーン情報として露出決定部１４０と画像処理部１３２とに供給される。
【００２７】
図３は、撮影シーン決定部２００（図１）により実行される撮影シーン決定ルーチンを示すフローチャートである。図４は、ＤＳＣ１００による紅葉の撮影状況の一例を示す説明図である。図４（ａ）の例は、ユーザＵＳＲが太陽ＳＵＮを背景にしてモミジの木ＭＴＲを撮影している様子を示している。図４（ｂ）は、図４（ａ）の例において、撮像部１３０（図１）により取得される被写体画像ＩＰＳを示している。図４（ｂ）に示す被写体画像ＩＰＳには、太陽ＳＵＮと、紅葉した多数のモミジの葉ＭＬＦと、モミジの枝ＭＢＲが含まれている。なお、図４（ｂ）では、図示の便宜上、被写体画像ＩＰＳの全面に渡って含まれるモミジの葉ＭＬＦの一部のみが描かれている。
【００２８】
ステップＳ１００において、配位・時刻取得部２２０は、ＤＳＣ１００の配位と現在時刻を取得する。具体的には、配位・時刻取得部２２０は、ＧＰＳ受信部１５０から取得したＤＳＣ１００の位置から撮影場所を特定し、時刻取得部１７０から取得した現在時刻から撮影日時を特定する。また、配位・時刻取得部２２０は、カメラ方向取得部１６０からＤＳＣ１００のカメラ方向を取得する。
【００２９】
図４の例では、撮影場所は長野県の○○○山と特定され、撮影日時は２００５年１１月８日の１６時３０分と特定されている。また、カメラ方向は、太陽ＳＵＮの方向となっていると判断されている。なお、カメラ方向が太陽の方向となっているか否かは、例えば、ＤＳＣ１００の位置および現在時刻から算出される太陽ＳＵＮの高度および方位角で表される方向と、カメラ方向とのずれが所定の角度差内であるか否かにより判断することができる。なお、所定の角度差は、固定的な角度（例えば、１０°）であっても良く、レンズ１１０（図１）の焦点距離と撮像素子の大きさによって定まる画角に基づいて算出される角度であっても良い。
【００３０】
図３のステップＳ２００において、画像解析部２１０は、撮像部１３０（図１）から取得した画像データを解析することにより、画像データで表される被写体画像中の特定の色の割合を表す情報（色情報）と、被写体画像中に含まれる物体の種類を表す情報と（以下これらの情報を併せて「被写体情報」とも呼ぶ）を取得する。
【００３１】
被写体画像中の特定の色の割合（以下、「特定色比率」とも呼ぶ）は、被写体画像を構成する画素数に対する特定の色の領域（特定色領域）に画素の色（画素色）が含まれる画素数の比率を算出することにより求めることが可能である。なお、画素の色が特定色領域に含まれるか否かは、例えば、所定の色空間において、画素の色を表す点が色空間内の特定色領域に対応する領域に属するか否かにより判断することが可能である。所定の色空間としては、例えば、ＲＧＢ色空間、ＨＳＶ色空間、ＹＣｒＣｂ色空間等の種々の色空間を使用することが可能である。また、複数の特定色領域のそれぞれに画素色が含まれるか否かを、特定色領域ごとに異なる色空間を用いて判断することも可能である。
【００３２】
図４（ｂ）の例では、被写体画像ＩＰＳ中には、紅葉したモミジの葉ＭＬＦのうちが多数含まれている。そのため、被写体画像ＩＰＳ中では、モミジの葉ＭＬＦの色に相当する黄（１５％）、赤（１５％）、および、オレンジ（４０％）の割合が多くなっている。また、被写体画像ＩＰＳにはこれらの色の他に、白（５％）と、茶（１０％）と、黒（１０％）とが含まれている。
【００３３】
被写体画像に含まれる物体は、例えば、被写体画像に対して領域分割を行い、領域分割結果のテンプレートマッチング等を行うことによって、認識することが可能である。図４（ｂ）の例では、被写体画像ＩＰＳ中の太陽ＳＵＮが認識されている。
【００３４】
図３のステップＳ３００において、撮影シーン決定部２００は、ステップＳ１００において取得したＤＳＣ１００の配位および現在時刻と、ステップＳ２００において取得した被写体情報とに基づいて、撮影状況に適したシーンの候補を選定する。
【００３５】
図５は、図３のステップＳ３００において、シーン候補選定部２３０（図１）により実行されるシーン候補選定サブルーチンを示すフローチャートである。また、図６は、シーン候補の選定に使用される、シーン評価データベース２３２（図１）に格納された情報の一例を示す説明図である。
【００３６】
ステップＳ３１０において、シーン候補選定部２３０は、シーン評価データベース２３２からシーン選定に使用する評価パラメータを取得する。具体的には、１つのシーンについて、予め定められている特定色の重み（特定色重み）と、被写体画像中に含まれることが多い物体と、撮影が行われる可能性が高い場所および時間帯と、通常設定されるカメラ方向と、の各パラメータを取得する。
【００３７】
ステップＳ３２０において、シーン候補選定部２３０は、ステップＳ２００（図３）において取得した被写体情報のうちの色情報と、特定色重みとに基づいて、被写体画像の特徴量を算出する。ここで、特徴量とは、評価対象のシーンが被写体画像中の特定色比率に適しているか否かを表す一種の評価値である。具体的には、特定色重みのパラメータに含まれるＮ個の特定色のうちｉ（ｉは、１以上、Ｎ以下の整数）番目の特定色について、特定色比率Ｒｉと特定色重みＷｉとの積（Ｒｉ×Ｗｉ）を計算する。本実施例では、このｉ＝１〜Ｎまでの、Ｎ個の特定色比率Ｒｉと特定色重みＷｉとの積（Ｒｉ×Ｗｉ）積の総和を特徴量αとしている。
【００３８】
図６の例では、まずシーン「夕日」について特徴量αの算出が行われる。シーン「夕日」では、特定色重みのパラメータには、オレンジ、赤、黄、白の４個の特定色が含まれている。そこで、特徴量としては、これら４個の特定色ごとに被写体画像ＩＰＳ（図４（ｂ））の特定色比率と特定色重みとの積が計算され、これらの積の総和が特徴量αとなる。図６に示すように、シーン「夕日」の特徴量αは、０．２２２５となる。
【００３９】
図５のステップＳ３３０において、シーン候補選定部２３０は、被写体情報のうち、被写体画像から認識された物体に関する情報と、ＤＳＣ１００の配位と、現在時刻とに基づいて、評価対象のシーンが被写体や撮影状況に適合しているか否かを表す適合量を算出する。ここで、適合量βとは、０と１との論理値で表される評価値の総和である。本実施例では、被写体画像中に含まれることが多い物体が被写体画像から認識されているか否か、撮影場所と時刻が撮影が行われる可能性が高い場所および時間帯となっているか否か、および、ＤＳＣ１００の方向が通常設定されるカメラ方向となっているか否か、のそれぞれについて判定される。そして、評価パラメータと適合する項目数が本実施例の適合量βとなる。
【００４０】
図４の例では、被写体画像ＩＰＳから太陽ＳＵＮが認識されている。また、カメラ方向は太陽の方向となっており、撮影時刻は、１６時３０分である。これらは、図６のシーン「夕日」について定められた評価パラメータのうち、ハッチングで示した、物体、カメラ方向、および、時間帯の３つの条件が適合する。そのため、図４に示す撮影状況に対するシーン「夕日」の適合値は３となる。
【００４１】
図５のステップＳ３４０において、シーン候補選定部２３０は、ステップＳ３２０で求められた特徴量αと、ステップＳ３３０で求められた適合量βとに基づいて、シーンを選定するための得点Ｐを算出する。本実施例において、得点Ｐは、特徴量αと適合量βとを用いて、以下の式（１）によって算出される。
【００４２】
Ｐ＝α×（１＋β）      …（１）
【００４３】
図５のステップＳ３５０において、シーン候補選定部２３０は、評価対象のシーンの得点が所定の閾値（例えば、０．１）以上か否かを判断する。評価対象のシーンの得点が所定の閾値以上であると判断された場合には、制御はステップＳ３６０に移される。一方、評価対象のシーンの得点が所定の閾値未満であると判断された場合には、制御はステップＳ３７０に移される。
【００４４】
ステップＳ３６０において、シーン候補選定部２３０は、評価対象のシーンをシーン候補に追加する。評価対象シーンのシーン候補への追加は、例えば、シーン評価データベース２３２の評価対象シーンについて、候補に選定したことを表すフラグを付加することにより行うことができる。また、シーン評価データベース２３２とは別個に設けられた記憶装置にシーン候補リストを格納し、シーン候補リストに評価対象シーンを追加することも可能である。
【００４５】
ステップＳ３７０において、シーン候補選定部２３０は、シーン評価データベース２３２に評価パラメータが格納された全てのシーンについて評価を行ったか否かを判断する。全てのシーンについて評価を行ったと判断された場合、図５のシーン候補選定サブルーチンは終了し、制御は、図３に示す撮影シーン決定ルーチンに戻される。一方、評価が行われていないシーンがある場合には、制御は、ステップＳ３１０に戻されて、全てのシーンについて評価が行われるまで、ステップＳ３１０〜Ｓ３７０が繰り返し実行される。
【００４６】
図６の例では、シーン「紅葉」、シーン「逆光」の順で上述のようにシーンの得点が算出される。そして、シーン「紅葉」の得点は閾値以上（０．４４）であるので、シーン「紅葉」はシーン候補に追加される。一方、シーン「逆光」の得点は、閾値未満（０．４４）であるので、シーン「逆光」はシーン候補に追加されない。同様に、夜景、セピア等の他のシーンについても評価が行われるが、これらのシーンではいずれも得点が閾値未満となるので、シーン候補には追加されない。
【００４７】
図３のステップＳ４００において、撮影シーン決定部２００（図１）は、ステップＳ３００で選定されたシーン候補を表示部１８０（図１）に表示する。そして、ステップＳ５００において、ユーザが操作部１９０（図１）を操作することにより入力されたユーザの指示が取得される。
【００４８】
図７は、撮影シーン決定部２００により表示部１８０に表示される画面ＤＳＰを示す説明図である。図７に示す画面ＤＳＰは、被写体画像を表示する被写体画像表示ウィンドウＷＰＳと、シーン候補のうちからユーザにシーンを選択させるためのシーン候補表示ウィンドウＷＳＣと、を有している。
【００４９】
シーン候補表示ウィンドウＷＳＣは、シーン候補としてステップＳ３００で選定された２つのシーン候補（夕日、紅葉）のシーン名のボタンＢＳ１，ＢＳ２と、「決定」ボタンＢＤＣと、「中止」ボタンＢＣＮとが表示されている。シーン候補表示ウィンドウＷＳＣに表示されるシーン候補は、シーン候補の選定に使用された得点の高い方から順番に上から下に向かって配列されている。また、シーン候補のうち最も得点の高いシーン「夕日」は、現在選択されているシーンとして反転表示されている。なお、シーン候補表示ウィンドウＷＳＣに表示されるシーン候補のそれぞれに、シーン候補の選定に使用された得点を併せて表示するものとしても良い。
【００５０】
ユーザは、画面ＤＳＰ上に表示された４つのボタンＢＳ１，ＢＳ２，ＢＤＣ，ＢＣＮのいずれかに指を触れることにより、ユーザの指示をＤＳＣ１００に与えることができる。ユーザがシーン名のボタンＢＳ１，ＢＳ２のいずれかを操作すると、選択指示取得部２５０によりシーンの選択指示が撮影シーン決定部２００に与えられる。一方、ユーザが「決定」ボタンＢＤＣを操作すると、選択されているシーンを撮影シーンとして使用する決定指示が撮影シーン決定部２００に与えられる。また、ユーザが「中止」ボタンＢＣＮを操作すると撮影シーンの設定を中止する中止指示が撮影シーン決定部２００に与えられる。
【００５１】
図３のステップＳ６００において、撮影シーン決定部２００（図１）は、ユーザから与えられた指示が、シーンの選択指示か、あるいは、決定と中止とのいずれかの指示かを判断する。ユーザの指示が決定と中止とのいずれかの指示であった場合、図３の撮影シーン決定ルーチンは終了する。ユーザの指示がシーンの選択指示であった場合、制御はステップＳ７００に移され、ユーザからの決定指示もしくは中止指示を取得するまでステップＳ４００からＳ６００が繰り返し実行される。
【００５２】
なお、ユーザの指示が決定指示であった場合には、撮影シーンとして選択されていたシーンを指定する指示が露出決定部１４０（図１）と画像処理部１３２（図１）とに供給され、露出決定部１４０と画像処理部１３２とは、指定された撮影シーンの設定に従って露出の決定と画像処理を行う。一方、ユーザの指示が中止指示であった場合には、露出決定部１４０と画像処理部１３２とには、撮影シーンを指定する指示が与えられず、先に指定されていた撮影シーンの設定に従って露出の決定と画像処理を行う。
【００５３】
図７の例では、図７（ｂ）においてユーザは、シーン「紅葉」のボタンＢＳ２を操作している。そのため、図３に示す撮影シーン決定ルーチンの制御は、ステップＳ６００からステップＳ７００に移される。
【００５４】
図３のステップＳ７００において、撮影シーン決定部２００（図１）は、ユーザにより選択されたシーン（選択シーン）に関連するシーン（関連シーン）を選定する。具体的には、撮影シーン決定部２００の関連シーン選定部２４０が関連シーンデータベース２４２（図１）を参照し選択シーンに関連するシーンを選定する。そして、撮影シーン決定部２００は、選択シーンと関連シーンとを新たなシーン候補に設定した後、制御はステップＳ４００に戻される。
【００５５】
ステップＳ７００から制御が戻されたステップＳ４００では、新たに設定されたシーン候補がシーン候補表示ウィンドウＷＳＣに表示される。なお、ステップＳ７００で新たに設定されたシーン候補には、ステップＳ３００において選択された元のシーン候補である選択シーンと、関連シーンとが含まれる。そのため、ステップＳ４００においては、元のシーン候補と関連シーンとの両方が表示部１８０に表示されるということも可能である。
【００５６】
図８は、関連シーンデータベース２４２に登録された情報の一例を示す説明図である。関連シーンデータベースには、選択シーンのそれぞれに予め対応付けられた関連シーンが、その優先順位とともに格納されている。図８では、優先順位が高い順番に左から関連シーンが設定されている。図８の例では、選択シーン「紅葉」には、シーン「逆光」とシーン「セピア」とが関連付けられている。また、選択シーン「逆光」には、シーン「人物」とシーン「紅葉」とが関連付けられている。
【００５７】
図７の例では、図７（ｂ）においてユーザがシーン「紅葉」を選択しているので、関連シーンは、シーン「逆光」およびシーン「セピア」の２つのシーンとなり、シーン候補は選択シーン「紅葉」と２つの関連シーン「逆光」および「セピア」に設定される。そのため、図７（ｃ）に示すように、シーン候補表示ウィンドウＷＳＣには、これらのシーン（紅葉，逆光，セピア）に対応するボタンＢＳ１ａ，ＢＳ２ａ，ＢＳ３ａが表示される。
【００５８】
このように、選択シーンと関連シーンとがシーン候補として表示されることにより、ユーザは、最初のシーン候補では選定されなかったシーンを撮影シーンとして選択することが可能となる。図７（ｃ）の例では、シーン候補表示ウィンドウＷＳＣにシーン「逆光」のボタンＢＳ２ａが表示されるので、ユーザは紅葉の色がより鮮やかに撮影されるシーン「逆光」を選択することが可能となる。
【００５９】
このように、本実施例では、画像解析部２１０から取得された被写体情報と、ＤＳＣ１００の配位と、現在時刻とに基づいて、シーン候補を選定することにより、被写体の撮影に適した撮影シーンをユーザに提示することが可能となる。そして、シーン候補からユーザが選択した選択シーンに関連する関連シーンと、選択シーンと、をシーン候補に設定することにより、より被写体の撮影に適した撮影シーンをユーザに提示することが可能となる。
【００６０】
Ｂ．変形例：
なお、この発明は上記の実施例や実施形態に限られるものではなく、その要旨を逸脱しない範囲において種々の態様において実施することが可能であり、例えば次のような変形も可能である。
【００６１】
Ｂ１．変形例１：
上記実施例では、ステップＳ３５０，Ｓ３６０（図５）において、シーンの得点が所定の閾値以上のシーンをシーン候補に追加することによりシーン候補を選定しているが、異なる方法によりシーン候補を選定することも可能である。例えば、全てのシーンについて得点を算出した後、得点が高いシーンから順に所定数のシーンを選定することによりシーン候補を選定することも可能である。
【００６２】
Ｂ２．変形例２：
上記実施例では、選択シーンと選択シーンの関連シーンとを新たなシーン候補に設定することにより、シーン候補に含まれるシーンの関連シーンをユーザに提示しているが、異なる方法により関連シーンを提示することも可能である。例えば、シーン候補に含まれる各シーンごとに関連シーンを選定し、シーン候補と、選定された関連シーンとを併せて表示部１８０に表示するものとしても良い。この場合、シーン候補を表示部１８０の第１の方向（例えば、横方向）に配列するとともに、各シーンの関連シーンを第１の方向とは異なる第２の方向（例えば、縦方向）に配列するのが好ましい。ユーザは、このように表示されたシーン候補と各シーンの関連シーンとから、所望のシーンをより容易に選択することができる。
【００６３】
Ｂ３．変形例３：
上記実施例では、シーン候補に含まれるシーンの名称を表示部１８０（図１）に表示することにより、シーン候補をユーザに提示しているが、他の方法によりシーン候補をユーザに提示するものとしても良い。シーン候補の提示は、例えば、シーン候補中の各シーンを表す画像を表示部１８０に表示することにより行うことも可能であり、シーン候補中の各シーンに対応した画像処理を行った被写体画像を表示部１８０に表示することにより行うことも可能である。
【００６４】
Ｂ４．変形例４：
上記実施例では、シーン別設定データベース１４２（図１）と、シーン評価データベース２３２（図１）と、関連シーンデータベース２４２（図１）と、のそれぞれに格納された情報の一例を示しているが、これらの情報は、被写体の撮影に適した撮影モードが設定可能であれば、適宜変更することが可能である。例えば、シーン評価データベースには、各シーンに対応して、被写体に関するパラメータと、ＤＳＣ１００の位置とカメラ方向と現在時刻との少なくとも１つに関するパラメータと、が格納されていればよい。このようにしても、被写体の撮影に適した撮影モードが設定可能となるように、シーン評価データベースの各パラメータを実験的に決定することが可能である。なお、この場合、シーン候補の選定は、シーン評価データベースに格納されたパラメータに対応する情報に基づいて行われる。
【図面の簡単な説明】
【００６５】
【図１】本発明の一実施例としてのデジタルスチルカメラ１００の概略構成を示す説明図。
【図２】シーン別設定データベース１４２に格納されている情報の一例を示す説明図。
【図３】撮影シーン決定部２００より実行される撮影シーン決定ルーチンを示すフローチャート。
【図４】デジタルスチルカメラ１００による紅葉の撮影状況の一例を示す説明図。
【図５】シーン候補選定部２３０により実行されるシーン候補選定サブルーチンを示すフローチャート。
【図６】シーン評価データベース２３２に格納されている情報の一例を示す説明図。
【図７】撮影シーン決定部２００により表示部１８０に表示される画面を示す説明図。
【図８】関連シーンデータベース２４２に格納されている情報の一例を示す説明図。
【符号の説明】
【００６６】
１００…デジタルスチルカメラ
１１０…レンズ
１２０…レンズ駆動部
１３０…撮像部
１３２…画像処理部
１４０…露出決定部
１４２…シーン別設定データベース
１５０…ＧＰＳ受信部
１６０…カメラ方向取得部
１７０…時刻取得部
１８０…表示部
１９０…操作部
２００…撮影シーン決定部
２１０…画像解析部
２２０…配位・時刻取得部
２３０…シーン候補選定部
２３２…シーン評価データベース
２４０…関連シーン選定部
２４２…関連シーンデータベース
２５０…選択指示取得部
【図１】
0004775029.tif 000002
【図２】
0004775029.tif 000003
【図３】
0004775029.tif 000004
【図４】
0004775029.tif 000005
【図５】
0004775029.tif 000006
【図６】
0004775029.tif 000007
【図７】
0004775029.tif 000008
【図８】
0004775029.tif 000009